(57)【要約】【課題】ワイヤレス受電部へのアクセス性を向上できるようにすることを目的とする。【解決手段】本発明は、放射線を検出する放射線検出パネル１と、放射線検出パネル１を収容する筐体７と、ワイヤレス受電部８と、を有する放射線撮影装置１００であって、筐体７は、放射線が入射する入射部７１と、入射部７１の反対側に位置する底部７２と、複数の側部７３とを有すると共に、底部７２の表面を延長させた第１の延長面７２ａおよび側部７３の表面を延長させた第２の延長面７３ａよりもそれぞれ内側の位置で、底部７２と側部７３との間を連続してつなぐ繋ぎ部９Ａを有し、ワイヤレス受電部８は、繋ぎ部９Ａに配置されていることを特徴とする。【選択図】図２
2019164040.tif 000002
【特許請求の範囲】
【請求項１】
放射線を検出する放射線検出パネルと、
前記放射線検出パネルを収容する筐体と、
ワイヤレス受電部と、を有する放射線撮影装置であって、
前記筐体は、
放射線が入射する入射部と、前記入射部の反対側に位置する底部と、複数の側部とを有すると共に、
前記底部の表面を延長させた第１の延長面および前記側部の表面を延長させた第２の延長面よりもそれぞれ内側の位置で、前記底部と前記側部との間を連続してつなぐ繋ぎ部を有し、
前記ワイヤレス受電部は、前記繋ぎ部に配置されていることを特徴とする放射線撮影装置。
【請求項２】
前記繋ぎ部は、前記底部と略平行な略板状、または、前記底部に対して傾斜する略板状であって、
前記ワイヤレス受電部は、前記繋ぎ部の内側に配置されていることを特徴とする請求項１に記載の放射線撮影装置。
【請求項３】
前記ワイヤレス受電部は、前記繋ぎ部の内側面に沿って配置されていることを特徴とする請求項１または２に記載の放射線撮影装置。
【請求項４】
前記繋ぎ部は、前記複数の側部のうち２つ以上の側部と、前記底部との間を連続してつなぐことを特徴とする請求項１ないし３の何れか１項に記載の放射線撮影装置。
【請求項５】
前記繋ぎ部は、前記底部に対して１３５度よりも大きく１８０度よりも小さい角度で傾斜していることを特徴とする請求項１ないし４の何れか１項に記載の放射線撮影装置。
【請求項６】
前記繋ぎ部は、外側に向かって凸状に湾曲していることを特徴とする請求項１ないし４の何れか１項に記載の放射線撮影装置。
【請求項７】
前記筐体に収容される回路基板を有し、
前記ワイヤレス受電部は、放射線の入射方向から見て、前記回路基板と重なり合わない位置に配置されていることを特徴とする請求項１ないし６の何れか１項に記載の放射線撮影装置。
【請求項８】
前記繋ぎ部は、前記ワイヤレス受電部が配置される位置に非導電性の材料からなる窓部を有していることを特徴とする請求項１ないし７の何れか１項に記載の放射線撮影装置。
【請求項９】
前記繋ぎ部は、外部と電気的に接続される接続端子を有していることを特徴とする請求項１ないし８の何れか１項に記載の放射線撮影装置。
【請求項１０】
前記筐体は、前記繋ぎ部を複数、有し、
前記複数の繋ぎ部のうち少なくとも一つは、前記ワイヤレス受電部が配置されていないことを特徴とする請求項１ないし９の何れか１項に記載の放射線撮影装置。
【請求項１１】
請求項１ないし１０の何れか１項に記載の放射線撮影装置と、
前記放射線撮影装置に電力を送電するワイヤレス送電ユニットと、を有する放射線撮影システムであって、
前記ワイヤレス送電ユニットは、前記放射線撮影装置に装着されたときに前記第１の延長面および前記第２の延長面を外側に超えない大きさであることを特徴とする放射線撮影システム。
【発明の詳細な説明】
【技術分野】
【０００１】
本発明は、放射線撮影装置および放射線撮影システムに関する。
【背景技術】
【０００２】
対象物を透過した放射線の強度分布を検出して放射線画像を得る放射線撮影装置が、工業用の非破壊検査や医療診断の場で広く一般に利用されている。
特許文献１には、放射線センサパネルや電気基板に必要な電力を得ると共に、防水や漏電の防止を実現するためにワイヤレスで受電を行う放射線撮影装置が開示されている。特許文献１の放射線撮影装置では、非接触受電を容易かつ安定して行うためにワイヤレス送電部を保持する保持手段を有している。
【先行技術文献】
【特許文献】
【０００３】
【特許文献１】特開２０１５−１６６６９１号公報
【発明の概要】
【発明が解決しようとする課題】
【０００４】
しかしながら、特許文献１の放射線撮影装置では、撮影装置の底面に凹部を形成し、凹部にワイヤレス受電部を配置しているために、ワイヤレス受電部へアクセスするのが容易ではないという問題がある。例えば、放射線撮影装置を撮影台のホルダにセットした場合や、撮影のため等に放射線撮影装置の底面を撮影テーブル等の平らな面に接するように配置した場合には、凹部がホルダや平らな面に隠れてしまい、ワイヤレス受電部へのアクセス性が損なわれてしまう。
【０００５】
本発明は、上述した問題点に鑑みてなされたものであり、ワイヤレス受電部へのアクセス性を向上できるようにすることを目的とする。
【課題を解決するための手段】
【０００６】
本発明は、放射線を検出する放射線検出パネルと、前記放射線検出パネルを収容する筐体と、ワイヤレス受電部と、を有する放射線撮影装置であって、前記筐体は、放射線が入射する入射部と、前記入射部の反対側に位置する底部と、複数の側部とを有すると共に、前記底部の表面を延長させた第１の延長面および前記側部の表面を延長させた第２の延長面よりもそれぞれ内側の位置で、前記底部と前記側部との間を連続してつなぐ繋ぎ部を有し、前記ワイヤレス受電部は、前記繋ぎ部に配置されていることを特徴とする。
【発明の効果】
【０００７】
本発明によれば、ワイヤレス受電部へのアクセス性を向上させることができる。
【図面の簡単な説明】
【０００８】
【図１】第１の実施形態の放射線撮影装置の一例を示す外観図である。
【図２】放射線撮影装置の一例を示す断面図である。
【図３】放射線撮影装置システムの一例を示す断面図である。
【図４】第１の実施形態の変形例である放射線撮影装置の一例を示す外観図である。
【図５】第２の実施形態の放射線撮影装置の一例を示す外観図である。
【図６】第３の実施形態の放射線撮影装置の一例を示す外観図である。
【図７】放射線撮影装置の一例を示す断面図である。
【図８】第３の実施形態の変形例である放射線撮影装置の一例を示す外観図である。
【図９】第３の実施形態の変形例である放射線撮影装置の一例を示す断面図である。
【発明を実施するための形態】
【０００９】
本発明の実施形態について、添付の図面を参照して具体的に説明する。ただし、各実施形態に示す寸法や構造の詳細は、本文および図中に示す限りではない。また、以下で述べる放射線とは、Ｘ線に限られず、α線、β線、γ線、粒子線、宇宙線等も含まれるものとする。
【００１０】
（第１の実施形態）
図１から図４を用いて、第１の実施形態における放射線撮影装置１００について説明する。
図１（ａ）は、放射線の入射方向から見た放射線撮影装置１００の一例を示す外観図である。図１（ｂ）は、図１（ａ）の反対側から見た放射線撮影装置１００の一例を示す外観図である。図２は、図１（ａ）におけるＩ−Ｉ線に沿って切断した断面を矢印方向から見た断面図である。
【００１１】
放射線撮影装置１００は、放射線発生装置（不図示）によって照射され、被写体を透過した放射線に応じた放射線画像を取得する。放射線撮影装置１００は、取得した放射線画像データを、外部装置に転送したり、外部の表示装置等に表示したりする。
放射線撮影装置１００は、放射線検出パネル１、制御基板２、二次電池４、支持基台５、緩衝材６、筐体７、ワイヤレス受電部８等を有する。
【００１２】
放射線検出パネル１は入射した放射線を画像信号に変換する。放射線検出パネル１は、放射線の入射される側が検出面である。放射線検出パネル１は、ガラス基板上に複数の光電変換素子が二次元状に配置されたセンサ基板１ａと、センサ基板１ａ上に配置された蛍光体層１ｂと、蛍光体層１ｂ上に配置された蛍光体保護膜１ｃとを有する。センサ基板１ａ上に配置される複数の光電変換素子は、ＭＩＳ型、ＰＩＮ型の可視光を検出し得る変換素子が用いられる。蛍光体保護膜１ｃは、蛍光体層１ｂを保護する。蛍光体保護膜１ｃは、防湿性が比較的高い材料が用いられる。
【００１３】
放射線検出パネル１は、入射した放射線を放射線画像として画像化が可能な有効撮影領域を有する。また、放射線検出パネル１は、放射線の入射方向から見て、複数の光電変換素子が配置された平面上の全ての領域、あるいは、その一部の領域が有効撮影領域として設定される。
上述の構成により、放射線検出パネル１は、入射した放射線によって蛍光体層１ｂが発光し、当該発光した光をセンサ基板１ａ上に配置された光電変換素子が電気信号に変換する。ただし、放射線検出パネル１は、蛍光体層１ｂと光電変換素子の代わりに、放射線を直接、電気信号に変換する直接変換型の変換素子を用いてもよい。
また、放射線検出パネル１は、フレキシブル回路基板３を介して、制御基板２と電気的に接続されている。
【００１４】
制御基板２は、放射線検出パネル１によって変換された電気信号を読み出し、読み出した電気信号を処理する。制御基板２は、当該電気信号をデジタル信号に変換することで放射線画像データを取得する。
二次電池４は、放射線検出パネル１および制御基板２の動作に用いる電力を供給する。二次電池４はバッテリとしての機能を有する。二次電池４は、例えば、リチウムイオン電池、電気二重層コンデンサ、全固体電池等が用いられる。
【００１５】
支持基台５は、筐体７内で放射線撮影装置１００の構成部品を支持する。支持基台５は、基板支持部５１と、脚部５２とを有する。基板支持部５１は、例えば平板状に形成され、放射線の入射面側で放射線検出パネル１を支持する。また、基板支持部５１は、放射線検出パネル１を支持する面とは反対側の面で制御基板２および二次電池４等を支持する。脚部５２は、放射線検出パネル１を支持する面とは反対側の面から延出し、筐体７に接合される。
緩衝材６は、放射線検出パネル１を外力から保護する。緩衝材６は、放射線検出パネル１の検出面と筐体７との間に配置される。
【００１６】
筐体７は、放射線撮影装置１００の構成部品を収容する。
筐体７は、略直方体であって、放射線の入射方向から見て長辺と短辺とを有する略矩形状である。筐体７は、放射線が入射する入射部７１と、放射線検出パネル１を挟んで入射部７１の反対側に位置する底部７２と、入射部７１と底部７２とを接続する複数（例えば４つ）の側部７３とを有する。筐体７は、例えば、底部７２と側部７３とを一体で形成し、別体の入射部７１を接合することで構成することができる。
【００１７】
入射部７１は、放射線が入射される。入射部７１は、外部に露出する表面（外側面）が略平らな略板状である。入射部７１は、放射線を入射させるため、放射線の透過率が比較的高いことが好ましい。更に、入射部７１は、重量が軽く、かつ衝撃に対して一定の強度を確保できることが好ましい。入射部７１は、例えば、樹脂材料やＣＦＲＰ（炭素繊維強化プラスチック）等が用いられる。
入射部７１の表面には、有効撮影領域の中心部や有効撮影領域の範囲を示すための指標７１１が表記される。指標７１１は塗装あるいは印刷処理によって形成される。ユーザは指標７１１を視認することで、有効撮影領域の中心部や有効撮影領域を容易に認識することができる。なお、指標７１１は、ユーザが有効撮影領域の中心部や有効撮影領域の範囲を認識できればよく、例えば、放射線検出パネル１の方向に窪んだ段差等であってもよい。
【００１８】
底部７２は、入射部７１の反対側から放射線撮影装置１００の構成部品を覆う。底部７２は、外部に露出する表面（外側面）が略平らな略板状である。底部７２は、入射部７１に対して略平行である。底部７２は、入射部７１から最も離れた板状の部位を含んで構成され、後述する第１の繋ぎ部９１Ａは含まれない。
側部７３は、側方から放射線撮影装置１００の構成部品を覆う。側部７３は、外部に露出する表面（外側面）が略平らな略板状である。側部７３は、入射部７１および底部７２に対して略直交している。側部７３は、入射部７１に連続する部位を含んで構成され、後述する第２の繋ぎ部９２Ａは含まれない。
底部７２および側部７３は、落下や衝撃等に対する強度、運搬時の負担軽減を目的とした軽量化、および、操作性の高さが確保されていることが好ましい。底部７２および側部７３は、例えば、マグネシウムやアルミニウム等の金属合金、ＣＦＲＰや繊維強化樹脂等が用いられる。なお、底部７２および側部７３は、筐体７の外部から受けるノイズを効果的に低減するためにＳＵＳ４３０等の透磁率が比較的高い材料を用いてもよい。
【００１９】
ワイヤレス受電部８は、ワイヤレスで送電される電力を受電することで、二次電池４を充電する。すなわち、二次電池４を適切に充電し、撮影時に十分な電力量を保持しておくことで、ユーザは円滑に放射線撮影を行うことができる。また、図１（ｂ）に示すように、筐体７のうち、ワイヤレス受電部８が配置されている近傍には窓部１０を有する。
窓部１０は、ワイヤレス受電部８が電力を受電するときの効率を高める。窓部１０は、非導電性の材料であって、例えば、樹脂や繊維強化樹脂等を用いることができる。なお、筐体７が導電性を有していない場合には、窓部１０を設けなくてもよい。
【００２０】
次に、ワイヤレス受電部８が配置される筐体７の構造について説明する。
ここで、本実施形態の筐体７は、底部７２と側部７３とが直接、連続していない部位を有する。具体的には、筐体７は、底部７２と側部７３との間を連続してつなぐ繋ぎ部９Ａを有する。ここで、連続してつなぐとは、底部７２と側部７３との間で、再び底部７２あるいは側部７３が介在しないことを意味する。なお、底部７２と側部７３との間で、再び底部が介在してしまうと２つの底部の間に凹部が形成される。また、底部７２と側部７３との間で、再び側部が介在してしまうと２つの側部の間に凹部が形成される。
したがって、図２に示すように、繋ぎ部９Ａが形成された部位では、底部７２は繋ぎ部９Ａを介さなければ側部７３まで至らない。同様に、側部７３は繋ぎ部９Ａを介さなければ底部７２まで至らない。このような構成により、繋ぎ部９Ａが形成された側部７３の長さＬ１（放射線撮影装置の厚み方向の長さ）は、反対側の側部７３の長さＬ２よりも短い。
【００２１】
また、図２に示すように、本実施形態の繋ぎ部９Ａは、底部７２の表面を延長させた第１の延長面７２ａよりも内側、すなわち筐体７側に位置し、側部７３の表面を延長させた第２の延長面７３ａよりも内側、すなわち筐体７側に位置する。
具体的に、繋ぎ部９Ａは、第１の繋ぎ部９１Ａと、第２の繋ぎ部９２Ａとを有する。
図２に示すように、第１の繋ぎ部９１Ａは側部７３および第２の繋ぎ部９２Ａにそれぞれ連続する。ここで、第１の繋ぎ部９１Ａは、外部に露出する表面（外側面）が略平らな略板状である。また、第１の繋ぎ部９１Ａは、入射部７１、底部７２に対して略平行である。
ただし、第１の繋ぎ部９１Ａは、入射部７１、底部７２に対して略平行である場合に限られず、第１の延長面７２ａおよび第２の延長面７３ａにそれぞれ内側に位置していれば傾斜していてもよい。
【００２２】
第２の繋ぎ部９２Ａは底部７２および第１の繋ぎ部９１Ａにそれぞれ連続する。ここで、第２の繋ぎ部９２Ａは、外部に露出する表面（外側面）が略平らな略板状である。また、第２の繋ぎ部９２Ａは、側部７３に対して略平行である。
ただし、第２の繋ぎ部９２Ａは、側部７３に対して略平行である場合に限られず、第１の延長面７２ａおよび第２の延長面７３ａにそれぞれ内側に位置していれば傾斜していてもよい。
【００２３】
本実施形態では、ワイヤレス受電部８が繋ぎ部９Ａに配置される。具体的には、ワイヤレス受電部８は、第１の繋ぎ部９１Ａの外部に露出しない面（内側面）に配置される。このように、ワイヤレス受電部８を繋ぎ部９Ａに配置することで、ワイヤレス受電部８へのアクセス性が向上する。すなわち、放射線撮影装置１００を、撮影台のホルダにセットした場合や撮影のために底部７２が寝台等と接するように配置した場合でも、ユーザは繋ぎ部９Ａが位置する側部７３側から繋ぎ部９Ａにより形成される空間を介してワイヤレス受電部８にアクセスできる。
【００２４】
また、図１（ｂ）に示すように、本実施形態では繋ぎ部９Ａは、短辺側の側部７３のみに連続するのではなく、短辺側の側部７３にそれぞれ隣接する長辺側の側部７３にも連続している。すなわち、繋ぎ部９Ａは、３つの側部７３に連続している。このように３つの側部７３に連続するように形成した繋ぎ部９Ａにワイヤレス受電部８を配置することで、３つの側部７３の何れの側部７３側からでも、ワイヤレス受電部８にアクセスできる。したがって、ワイヤレス受電部８に対する多方向からのアクセス性を向上させることができる。なお、繋ぎ部９Ａは、３つの側部７３に連続する場合に限られず、１つまたは２つの側部７３に連続するように形成してもよい。
【００２５】
また、本実施形態では、ワイヤレス受電部８は底部７２と略平行な第１の繋ぎ部９１Ａに配置されている。ここで、放射線撮影装置１００は、厚み方向に比べて、底部７２と平行な方向に広い扁平状である。したがって、底部７２と略平行な第１の繋ぎ部９１Ａには、厚み方向に沿った第２の繋ぎ部９２Ａよりも、ワイヤレス受電部８を配置するスペースを広く確保することができる。したがって、ワイヤレス受電部８の実装サイズを大きくすることができ、ワイヤレス受電部８により受電する電力を増大させるように構成することができる。
また、本実施形態では、放射線の入射方向から見たときに、ワイヤレス受電部８が制御基板２とフレキシブル回路基板３と重ならない位置に配置されている（図２を参照）。したがって、ワイヤレス充電したときに生じる磁界が、他の電気信号や制御信号等に影響を与えることを低減することができる。制御基板２およびフレキシブル回路基板３は、回路基板の一例である。
【００２６】
なお、放射線撮影装置１００は外付け可能なグリッド等が取り付けられることがある。このとき、グリッドを保持する保持枠が筐体７の側部７３の一部を覆う可能性があり、この場合にはワイヤレス受電部８へのアクセス性が損なわれてしまう虞がある。したがって、第１の繋ぎ部９１Ａは、最大深さ（底部７２の外側面から第１の繋ぎ部９１Ａの外側面までの距離）が放射線撮影装置１００の厚みの半分程度（半分以下）であることが好ましい。具体的には、第１の繋ぎ部９１Ａの最大深さは、底部７２から最大でも８ｍｍ以下であることが好ましい。このように、第１の繋ぎ部９１Ａの最大深さを深くしないことで、グリッドを取り付けた場合でも、ワイヤレス受電部８へのアクセス性を向上させることができる。
【００２７】
次に、放射線撮影システム１１０について説明する。
図３は、放射線撮影システム１１０の構成の一例を示す断面図である。
放射線撮影システム１１０は、放射線撮影装置１００と、ワイヤレス送電ユニット１２０とを有する。なお、放射線撮影装置１００は、上述した構成と同様であり、同一符号を付して説明を省略する。
ワイヤレス送電ユニット１２０は、ワイヤレス受電部８に対してワイヤレスで電力を送電する。ワイヤレス送電ユニット１２０は、ワイヤレス送電部２１と、制御基板２２と、磁石２３と、有線ケーブル２４とを有する。
【００２８】
ワイヤレス送電部２１は、外部から電力が供給されることでワイヤレス受電部８に対して電力を送電する。制御基板２２は、ワイヤレス送電部２１を制御する。磁石２３は、位置決め手段として機能する。磁石２３は、ワイヤレス送電ユニット１２０（の筐体）内に位置し、ワイヤレス送電ユニット１２０を放射線撮影装置１００に対して着脱することを可能にする。具体的に、磁石２３は、ワイヤレス送電部２１とワイヤレス受電部８とが対面するように、ワイヤレス送電ユニット１２０を放射線撮影装置１００に対して位置決めした状態に装着する。このとき、ワイヤレス送電部２１とワイヤレス受電部８とは外側面同士が接した状態だけであるために、ワイヤレス送電ユニット１２０をワイヤレス受電部８に対して位置合わせするときの自由度を向上させることができる。
【００２９】
ここで、図３に示すように、ワイヤレス送電ユニット１２０が放射線撮影装置１００に対して位置決めされた状態では、ワイヤレス送電ユニット１２０（の筐体）は、上述した第１の延長面７２ａおよび第２の延長面７３ａを外側に超えない大きさである。好ましくは、ワイヤレス送電ユニット１２０（の筐体）は、第１の延長面７２ａおよび第２の延長面７３ａよりもそれぞれ内側に収まる大きさである。このようにワイヤレス送電ユニット１２０を構成することで、ワイヤレス充電時であっても撮影台のホルダにセットすることができる。
なお、図３では、ワイヤレス送電ユニット１２０は有線ケーブル２４により電力が供給される構成であり、有線ケーブル２４が第１の延長面７２ａおよび第２の延長面７３ａを外側に超えているが、この場合に限られない。例えば、ワイヤレス送電ユニット１２０は内部に二次電池を搭載することで、二次電池により電力が供給される構成であってもよい。したがって、ワイヤレス送電ユニット１２０は、完全に第１の延長面７２ａおよび第２の延長面７３ａを外側に超えないように構成することができる。
【００３０】
次に、第１の実施形態の変形例としての放射線撮影装置１３０について図４を参照して説明する。図１および図２に示す放射線撮影装置１００は一つの繋ぎ部９Ａのみを有する構成であったが、図４に示す放射線撮影装置１３０は複数の繋ぎ部９Ｂ、９Ｃを有する。なお、図１および図２と同様の構成は、同一符号を付している。
【００３１】
図４（ａ）は、放射線の入射方向から見た放射線撮影装置１３０の一例を示す外観図である。図４（ｂ）は、図４（ａ）の反対側から見た放射線撮影装置１３０の一例を示す外観図である。
図４（ｂ）に示すように、放射線撮影装置１３０の筐体７は、２つの繋ぎ部９Ｂ、９Ｃを有する。２つの繋ぎ部９Ｂ、９Ｃは互いに離れて位置する。
【００３２】
まず、繋ぎ部９Ｂは、底部７２と、短辺側の側部７３と、長辺側の側部７３との間を連続してつなぐ。繋ぎ部９Ｂは、第１の繋ぎ部９１Ｂ、第２の繋ぎ部９２Ｂ、第３の繋ぎ部９３Ｂを有する。第１の繋ぎ部９１Ｂは入射部７１、底部７２に対して略平行である。第２の繋ぎ部９２Ｂは長辺側の側部７３に対して略平行であり、第３の繋ぎ部９３Ｂは短辺側の側部７３に対して略平行である。なお、第２の繋ぎ部９２Ｂは窓部１０を避けるように凹部９４が形成される。
次に、繋ぎ部９Ｃは、底部７２と、短辺側の側部７３と、長辺側の側部７３との間を連続してつなぐ。繋ぎ部９Ｃは、第１の繋ぎ部９１Ｃ、第２の繋ぎ部９２Ｃ、第３の繋ぎ部９３Ｃを有する。第１の繋ぎ部９１Ｃは入射部７１、底部７２に対して略平行である。第２の繋ぎ部９２Ｃは長辺側の側部７３に対して略平行であり、第３の繋ぎ部９３Ｃは短辺側の側部７３に対して略平行である。なお、第２の繋ぎ部９２Ｃは、第２の繋ぎ部９２Ｂと同様に、窓部１０を避けるように凹部９４が形成される。
【００３３】
第１の繋ぎ部９１Ｂ、９１Ｃは、それぞれ窓部１０を有する。また、各窓部１０の内側にはワイヤレス受電部８が配置される。したがって、繋ぎ部９Ｂおよび繋ぎ部９Ｃのそれぞれにワイヤレス受電部８が配置されるので、ワイヤレス受電部８へのアクセス性を向上させることができる。
なお、繋ぎ部９Ｂ、９Ｃの数および位置は、この場合に限られない。例えば、繋ぎ部は３つ以上であってもよく、少なくとも２つの繋ぎ部は矩形状の筐体７の対角に位置してもよい。また、複数の繋ぎ部は、それぞれ最大深さ（底部７２の外側面から第１の繋ぎ部９１Ｂ、９１Ｃの外側面までの距離）が同一でなくてもよい。
【００３４】
また、第１の繋ぎ部９１Ｂ、９１Ｃ、第２の繋ぎ部９２Ｂ、９２Ｃ、または、第３の繋ぎ部９３Ｂ、９３Ｃの一部には、ワイヤレス送電ユニット１２０に対する位置決め用の凹部または凸部を設けてもよい。ただし、位置決め用の凹部または凸部は、アクセス性や挿抜方向の自由度を損わない位置および大きさであることが好ましい。
なお、繋ぎ部９Ｂ、９Ｃは、放射線撮影装置１３０が平坦な場所に置かれたときに放射線撮影装置１００を持ち上げる場合の手掛け部としても機能するために、ユーザビリティ性を向上させることができる。したがって、放射線撮影装置１３０は、ワイヤレス受電部８が配置されない繋ぎ部を単数、あるいは、複数有していてもよい。
【００３５】
（第２の実施形態）
図５を用いて、第２の実施形態における放射線撮影装置１４０について説明する。
図５（ａ）は、放射線の入射方向から見た放射線撮影装置１４０の一例を示す外観図である。図５（ｂ）は、図５（ａ）の反対側から見た放射線撮影装置１４０の一例を示す外観図である。図５（ｃ）は図５（ｂ）に示す二点鎖線の円内を拡大した拡大図である。なお、第１の実施形態と同様の構成は同一符号を付している。
【００３６】
放射線撮影装置１４０の筐体７は、繋ぎ部９Ｄを有する。
繋ぎ部９Ｄは、底部７２と、短辺側の側部７３と、長辺側の側部７３との間を連続してつなぐ。繋ぎ部９Ｄは、第１の繋ぎ部９１Ｄ、第２の繋ぎ部９２Ｄ、第３の繋ぎ部９３Ｄを有する。第１の繋ぎ部９１Ｄは入射部７１、底部７２に対して略平行である。第２の繋ぎ部９２Ｄは長辺側の側部７３に対して略平行であり、第３の繋ぎ部９３Ｄは短辺側の側部７３に対して略平行である。
第１の繋ぎ部９１Ｄは窓部１０を有し、窓部１０の内側にワイヤレス受電部８が配置される。
【００３７】
図５（ｃ）に示すように、本実施形態の繋ぎ部９Ｄは外部と電気的に接続される接続部としての接続端子１１を有する。具体的には、繋ぎ部９Ｄのうち第３の繋ぎ部９３Ｄに接続端子１１が設けられる。接続端子１１は、有線通信時のインターフェイスとして機能する。したがって、放射線撮影装置１４０はワイヤレス受電部８によりワイヤレスで転送される電力を受電できることに加えて、接続端子１１を介して外部電源から有線接続により電力を受電することができる。また、放射線撮影装置１４０は、接続端子１１を介して外部装置と有線接続されることにより、制御信号の送受信および放射線画像の転送を行うことができる。ユーザは状況に応じて、電力や情報の転送を有線接続方式で行うか、ワイヤレス接続方式で行うかを選択することができる。
【００３８】
放射線撮影装置１４０は、ＪＩＳ  Ｚ４９０５等に規定される外形サイズにより構成されることがある。そのために、筐体７の内部スペースを有効に利用することが求められる。本実施形態の放射線撮影装置１４０は、接続端子１１をワイヤレス受電部８が配置される繋ぎ部９Ｄに配置している。したがって、新たに接続端子１１を設けるためのスペースを確保する必要がないために、放射線撮影装置１４０の筐体７の内部スペースを有効に利用することができる。
【００３９】
（第３の実施形態）
図６および図７を用いて、第３の実施形態における放射線撮影装置１５０について説明する。
図６（ａ）は、放射線の入射方向から見た放射線撮影装置１５０の一例を示す外観図である。図６（ｂ）は、図６（ａ）の反対側から見た放射線撮影装置１５０の一例を示す外観図である。図７は、図６（ａ）におけるＩＩ−ＩＩ線に沿って切断した断面を矢印方向から見た断面図である。なお、第１の実施形態と同様の構成は同一符号を付している。
【００４０】
放射線撮影装置１５０の筐体７は、繋ぎ部９Ｅを有する。
繋ぎ部９Ｅは、底部７２と、側部７３との間を連続してつなぐ。具体的には、繋ぎ部９Ｅは、傾斜部の一例であって、底部７２と、側部７３とに対してそれぞれ傾斜する。繋ぎ部９Ｅは、外部に露出する表面（外側面）が略平らな略板状である。本実施形態の繋ぎ部９Ｅは、筐体７の全周に亘って連続して形成される。また、図７に示すように、底部７２と繋ぎ部９Ｅとの間における筐体７側の角度αは、側部７３と繋ぎ部９Ｅとの間における筐体７側の角度βよりも大きい。したがって、繋ぎ部９Ｅは、底部７２に対して緩やかに傾斜する。なお、繋ぎ部９Ｅの底部７２に対する角度αは、１３５度よりも大きく１８０度よりも小さい角度であることが好ましい。角度αを１３５度よりも大きい角度に規定したのは、筐体７の内部スペースを有効に利用できる角度のためである。一方、角度αを１８０度よりも小さい角度に規定したのは、角度αが１８０度である場合には繋ぎ部９Ｅとして機能せずに底部７２となってしまうためである。ただし、繋ぎ部９Ｅの底部７２に対する角度αは、１３５度以下であってもよい。
【００４１】
繋ぎ部９Ｅは窓部１０を有し、窓部１０の内側にワイヤレス受電部８が配置される。ワイヤレス受電部８は、繋ぎ部９Ｅの外部に露出しない面（内側面）に配置される。なお、ワイヤレス受電部８は、繋ぎ部９Ｅの内側面に沿って、すなわち内側面と略平行に配置されている。繋ぎ部９Ｅの内側面は、底部７２および側部７３に対してそれぞれ傾斜していることから、繋ぎ部９Ｅの内側面に沿って配置されたワイヤレス受電部８も傾斜して配置される。
このように、繋ぎ部９Ｅを底部７２および側部７３に対して傾斜して構成することにより、繋ぎ部９Ｅに異物やホコリが溜まることを防止することができる。したがって、ワイヤレス受電部８が電力を受電するときの効率が低下するのを抑制することができる。また、傾斜した繋ぎ部９Ｅの内側にワイヤレス受電部８を配置することで、筐体７の内部スペースを有効に利用することができる。
なお、本実施形態では、繋ぎ部９Ｅが筐体７の全周に亘って連続して形成される場合について説明したが、この場合に限られず、ワイヤレス受電部８を配置する側部７３を含む一部の側部７３のみに形成してもよい。
【００４２】
次に、第３の実施形態の変形例１としての放射線撮影装置１６０について図８を参照して説明する。図６および図７に示す放射線撮影装置１５０は筐体７の外周に亘って一様な形状の繋ぎ部９Ｅを有する構成であったが、図８に示す放射線撮影装置１６０は、ワイヤレス受電部８を配置する繋ぎ部９Ｆの形状が異なる。なお、図６および図７と同様の構成は、同一符号を付している。
【００４３】
図８（ａ）は、放射線の入射線方向から見た放射線撮影装置１６０の一例を示す外観図である。図８（ｂ）は、図８（ａ）の反対側から見た放射線撮影装置１６０の一例を示す外観図である。
図８（ｂ）に示すように、放射線撮影装置１６０の筐体７は、繋ぎ部９Ｆを有する。
繋ぎ部９Ｆは、第１の繋ぎ部９１Ｆと、第２の繋ぎ部９２Ｆとを有する。第１の繋ぎ部９１Ｆおよび第２の繋ぎ部９２Ｆは、それぞれ外部に露出する表面（外側面）が略平らな略板状である。ここで、第１の繋ぎ部９１Ｆおよび第２の繋ぎ部９２Ｆは、何れも傾斜部の一例である。
第１の繋ぎ部９１Ｆは、第２の繋ぎ部９２Ｆを除く筐体７の全周に亘って連続して形成される。一方、第２の繋ぎ部９２Ｆは、筐体７の一部に形成される。具体的には、第２の繋ぎ部９２Ｆは、筐体７のうち短辺側の側部７３の略中央側に形成される。また、第２の繋ぎ部９２Ｆは、第１の繋ぎ部９１Ｆに比べて底部７２に対して緩やかに傾斜する。例えば、図７のように、繋ぎ部と底部７２との間における筐体７側の角度をαとすると、第２の繋ぎ部９２Ｆの角度αは第１の繋ぎ部９１Ｆの角度αよりも大きい。また、繋ぎ部と側部７３との間における筐体７側の角度をβとすると、第２の繋ぎ部９２Ｆの角度βは第１の繋ぎ部９１Ｆの角度βよりも小さい。
【００４４】
ここで、第２の繋ぎ部９２Ｆは窓部１０を有し、窓部１０の内側にワイヤレス受電部８が配置される。なお、ワイヤレス受電部８は、図７と同様に、第２の繋ぎ部９２Ｆの内側面に沿って、すなわち内側面と略平行に配置される。第２の繋ぎ部９２Ｆの内側面は、底部７２および側部７３に対してそれぞれ傾斜していることから、第２の繋ぎ部９２Ｆの内側面に沿って配置されたワイヤレス受電部８も傾斜して配置される。
【００４５】
このように、ワイヤレス受電部８を配置する第２の繋ぎ部９２Ｆを第１の繋ぎ部９１Ｆよりも底部７２に対して緩やかに傾斜させることで、筐体７の内部スペースを広く確保することができる。
なお、本変形例では、第１の繋ぎ部９１Ｆを有する場合について説明したが、第１の繋ぎ部９１Ｆがなくてもよい。すなわち、筐体７の全周のうち第２の繋ぎ部９２Ｆ以外は繋ぎ部がなく底部７２と側部７３との間が連続していてもよい。
【００４６】
次に、第３の実施形態の変形例２としての放射線撮影装置１７０について図９を参照して説明する。図６および図７に示す放射線撮影装置１５０の筐体７は、外部に露出する表面（外側面）が略平らな略板状の繋ぎ部９Ｅを有する構成であったが、図９に示す放射線撮影装置１７０は、ワイヤレス受電部８を配置する繋ぎ部９Ｇの形状が異なる。なお、図６および図７と同様の構成は、同一符号を付している。
【００４７】
図９は、放射線撮影装置１７０の断面図である。
放射線撮影装置１７０の筐体７は、繋ぎ部９Ｇを有する。
繋ぎ部９Ｇは、底部７２と、側部７３との間を連続してつなぐ。なお、本変形例の側部７３は、筐体７のうち最も外側に位置する部位である。ここでは、側部７３が入射部７１の外周縁に位置している。繋ぎ部９Ｇは、傾斜部の一例であって、底部７２に対して傾斜する。繋ぎ部９Ｇは、外部に露出する表面（外側面）が外側に向かって凸状に湾曲した略板状である。本実施形態の繋ぎ部９Ｇは、筐体７の全周に亘って連続して形成される。
【００４８】
繋ぎ部９Ｇは窓部１０を有し、窓部１０の内側にワイヤレス受電部８が配置される。ワイヤレス受電部８は、繋ぎ部９Ｇの外部に露出しない面（内側面）に配置される。なお、ワイヤレス受電部８は、繋ぎ部９Ｇの内側面に沿って、すなわち内側面と略平行に配置されている。繋ぎ部９Ｇの内側面は、外側面と同様に湾曲していることから、繋ぎ部９Ｇの内側面に沿って配置されたワイヤレス受電部８も湾曲して配置される。この場合、ワイヤレス受電部８は、可撓性があるフレキシブル回路基板により構成することができる。
【００４９】
このように、繋ぎ部９Ｇを凸状に湾曲するように傾斜させることにより、撮影時に放射線撮影装置１７０が患者等と接触した場合に、患者に違和感を与えるのを低減することができる。また、繋ぎ部９Ｇを外側に凸状に湾曲するように傾斜させることにより、筐体７の内部スペースを広く確保することができる。なお、図９に示す第２の延長面７３ａは、側部７３の表面を入射部７１と直交する方向に延長させた面である。
本変形例では、側部７３が入射部７１の外周縁である場合について説明したが、他と同様に略板状にしてもよい。
【００５０】
以上、本発明を実施形態に基づいて詳述したが、本発明は上述した実施形態に限られず、この発明の要旨を逸脱しない範囲の様々な形態も本発明の範疇に含まれる。更に、上述した各実施形態は本発明の一実施形態を示すものにすぎず、各実施形態および各実施形態の変形例を適宜組み合わせることも可能である。
【００５１】
なお、本実施形態で説明したワイヤレス充電の方式は、特に限定されず、電磁誘導方式、電界方式、共鳴方式等を用いることができる。
また、本実施形態では筐体７が長辺と短辺とを有する略矩形状、すなわち長方形である場合について説明したが、この場合に限られず、正方形であってもよい。
また、本実施形態ではワイヤレス受電部８が繋ぎ部９Ａ〜９Ｇに配置される場合、ワイヤレス受電部８の少なくとも一部が繋ぎ部９Ａ〜９Ｇに配置されていればよく、残りの部位は、入射部７１、底部７２あるいは側部７３に配置されていてもよい。
【符号の説明】
【００５２】
１：放射線検出パネル  ２：制御基板  ３：フレキシブル回路基板  ４：二次電池  ５：支持基台  ７：筐体  ７１：入射部  ７２：底部  ７３：側部  ８：ワイヤレス受電部  ９Ａ〜９Ｇ：繋ぎ部  １０：窓部  １００：放射線撮影装置  １１０：放射線撮影システム  １２０：ワイヤレス送電ユニット  １３０、１４０、１５０、１６０、１７０：放射線撮影装置
【図１】
2019164040.tif 000003
【図２】
2019164040.tif 000004
【図３】
2019164040.tif 000005
【図４】
2019164040.tif 000006
【図５】
2019164040.tif 000007
【図６】
2019164040.tif 000008
【図７】
2019164040.tif 000009
【図８】
2019164040.tif 000010
【図９】
2019164040.tif 000011